【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
高周波帯域を支援する無線接続システムにおいて基地局がランダムアクセスチャネル（ＲＡＣＨ）信号を検出する方法であって、前記方法は、
前記基地局で用いられる巡回シフト値を割り当てることと、
ランダムアクセスチャネルを介して送信される信号に対して受信信号ベクトルを構成することと、
巡回シフト候補を導出することであって、前記受信信号ベクトルと第１検出フィルターとの間の前記巡回シフト候補の相関度値は、基準値に等しいか又は前記基準値より大きく、前記第１検出フィルターは、単一の有効チャネルが仮定されるフィルターに対応する、ことと、
前記巡回シフト候補の中で、第２検出フィルターを用いてＲＡＣＨ信号を検出することであって、前記第２検出フィルターは、複数の有効チャネルが仮定されるフィルターに対応する、ことと
を含み、
前記第１検出フィルター及び前記第２検出フィルターは、前記巡回シフト値に基づいて設定される、方法。
【請求項２】
前記第１検出フィルターは、
【化１００】
2016538791.tif 000001
のように設定され、
【化１０１】
2016538791.tif 000002
は、
【化１０２】
2016538791.tif 000003
だけ巡回シフトした
【化１０３】
2016538791.tif 000004
ザドフチュー（ＺＣ）シーケンスを表し、ｍは、前記巡回シフト値を意味し、Ｎは、前記ＺＣシーケンスの全長を表し、
【化１０４】
2016538791.tif 000005
は、モジューロ演算を表す、請求項１に記載の方法。
【請求項３】
前記第２検出フィルターは、前記ランダムアクセスチャネルの有効チャネルの個数を考慮して設定される、請求項１に記載の方法。
【請求項４】
前記第２検出フィルターは、
【化１０５】
2016538791.tif 000006
のように設定され、
【化１０６】
2016538791.tif 000007
は、
【化１０７】
2016538791.tif 000008
だけ巡回シフトした
【化１０８】
2016538791.tif 000009
ザドフチュー（ＺＣ）シーケンスを表し、ｍは、前記巡回シフト値を意味し、Ｌは、前記複数の有効チャネルの個数を意味し、Ｎは、前記ＺＣシーケンスの全長を表し、
【化１０９】
2016538791.tif 000010
は、モジューロ演算を表す、請求項３に記載の方法。
【請求項５】
前記巡回シフト値は、有効チャネルの個数を考慮して設定される、請求項１に記載の方法。
【請求項６】
前記巡回シフト候補は、ＺＣＺ（Ｚｅｒｏ  Ｃｏｒｒｅｌａｔｉｏｎ  Ｚｏｎｅ）から導出されたシーケンス相関度が前記基準値に等しいか又は前記基準値より大きい区間である、請求項１に記載の方法。
【請求項７】
高周波帯域を支援する無線接続システムにおいてランダムアクセスチャネル（ＲＡＣＨ）信号を検出するための基地局であって、前記基地局は、
送信器と、
受信器と、
前記ＲＡＣＨ信号を検出するように構成されたプロセッサと
を備え、
前記プロセッサは、
前記基地局で用いられる巡回シフト値を割り当てることと、
ランダムアクセスチャネルを介して送信される信号に対して受信信号ベクトルを構成し、
巡回シフト候補を導出することであって、前記受信信号ベクトルと第１検出フィルターとの間の前記巡回シフト候補の相関度値は、基準値に等しいか又は前記基準値より大きく、前記第１検出フィルターは、単一の有効チャネルが仮定されるフィルターに対応する、ことと、
前記巡回シフト候補の中で、第２検出フィルターを用いて前記ＲＡＣＨ信号を検出することであって、前記第２検出フィルターは、複数の有効チャネルが仮定されるフィルターに対応する、ことと
を実行するように構成され、
前記第１検出フィルター及び前記第２検出フィルターは、前記巡回シフト値に基づいて設定される、基地局。
【請求項８】
前記第１検出フィルターは、
【化１１０】
2016538791.tif 000011
のように設定され、
【化１１１】
2016538791.tif 000012
は、
【化１１２】
2016538791.tif 000013
だけ巡回シフトした
【化１１３】
2016538791.tif 000014
ザドフチュー（ＺＣ）シーケンスを表し、ｍは、前記巡回シフト値を意味し、Ｎは、前記ＺＣシーケンスの全長を表し、
【化１１４】
2016538791.tif 000015
は、モジューロ演算を表す、請求項７に記載の基地局。
【請求項９】
前記第２検出フィルターは、前記ランダムアクセスチャネルの有効チャネルの個数を考慮して設定される、請求項７に記載の基地局。
【請求項１０】
前記第２検出フィルターは、
【化１１５】
2016538791.tif 000016
のように設定され、
【化１１６】
2016538791.tif 000017
は、
【化１１７】
2016538791.tif 000018
だけ巡回シフトした
【化１１８】
2016538791.tif 000019
ザドフチュー（ＺＣ）シーケンスを表し、ｍは、前記巡回シフト値を意味し、Ｌは、前記複数の有効チャネルの個数を意味し、Ｎは、前記ＺＣシーケンスの全長を表し、
【化１１９】
2016538791.tif 000020
は、モジューロ演算を表す、請求項９に記載の基地局。
【請求項１１】
前記巡回シフト値は、有効チャネルの個数を考慮して設定される、請求項７に記載の基地局。
【請求項１２】
前記巡回シフト候補は、ＺＣＺ（Ｚｅｒｏ  Ｃｏｒｒｅｌａｔｉｏｎ  Ｚｏｎｅ）から導出されたシーケンス相関度が前記基準値に等しいか又は前記基準値より大きい区間である、請求項７に記載の基地局。
【手続補正２】
【補正対象書類名】明細書
【補正対象項目名】００１５
【補正方法】変更
【補正の内容】
【００１５】
上述した本発明の様態は本発明の好適な実施例の一部に過ぎず、本願発明の技術的特徴を反映した様々な実施例を、当該技術の分野における通常の知識を有する者にとって、以下に詳述する本発明の詳細な説明から導出し理解することができる。
本発明は、例えば、以下を提供する。
（項目１）
高周波帯域を支援する無線接続システムにおいて基地局がランダムアクセスチャネル（ＲＡＣＨ）信号を検出する方法であって、
前記基地局で用いられる巡回シフト値を割り当てるステップと、
ランダムアクセスチャネルを介して送信される信号に対して受信信号ベクトルを構成するステップと、
第１検出フィルターを用いて前記受信信号ベクトルから基準値以上の巡回シフト候補を導出するステップと、
第２検出フィルターを用いて前記巡回シフト候補からＲＡＣＨ信号を検出するステップと、
を有し、
前記第１検出フィルター及び前記第２検出フィルターは、前記巡回シフト値に基づいて設定される、ＲＡＣＨ信号検出方法。
（項目２）
前記第１検出フィルターは、前記ランダムアクセスチャネルを構成する有効チャネルの個数を１と仮定して設定される、項目１に記載のＲＡＣＨ信号検出方法。
（項目３）
前記第１検出フィルターであるＧｍは、
【化４８】
2016538791.tif 000021
のように設定され、
ｍは、前記巡回シフト値を意味し、Ｎは、ザドフチューシーケンスの総長さを表し、
【化４９】
2016538791.tif 000022
は、モジューロ演算を表す、項目２に記載のＲＡＣＨ信号検出方法。
（項目４）
前記第２検出フィルターは、前記ランダムアクセスチャネルを構成する有効チャネルの個数を考慮して設定される、項目１に記載のＲＡＣＨ信号検出方法。
（項目５）
前記第２検出フィルターであるＧｍは、
【化５０】
2016538791.tif 000023
のように設定され、
ｍは、前記巡回シフト値を意味し、Ｌは、前記有効チャネルの個数を意味し、Ｎは、ザドフチューシーケンスの総長さを表し、
【化５１】
2016538791.tif 000024
は、モジューロ演算を表す、項目４に記載のＲＡＣＨ信号検出方法。
（項目６）
前記巡回シフト値は、有効チャネルの個数を考慮して設定される、項目１に記載のＲＡＣＨ信号検出方法。
（項目７）
前記巡回シフト候補は、ＺＣＺ（Ｚｅｒｏ  Ｃｏｒｒｅｌａｔｉｏｎ  Ｚｏｎｅ）から導出されたシーケンス相関度が前記基準値以上である区間を意味する、項目１に記載のＲＡＣＨ信号検出方法。
（項目８）
高周波帯域を支援する無線接続システムにおいてランダムアクセスチャネル（ＲＡＣＨ）信号を検出するための基地局であって、
送信器と、
受信器と、
前記ＲＡＣＨ信号を検出するように構成されたプロセッサと、
を備え、
前記プロセッサは、
前記基地局で用いられる巡回シフト値を割り当て、
ランダムアクセスチャネルを介して送信される信号に対して受信信号ベクトルを構成し、
第１検出フィルターを用いて前記受信信号ベクトルから基準値以上の巡回シフト候補を導出し、
第２検出フィルターを用いて前記巡回シフト候補から前記ＲＡＣＨ信号を検出するように構成され、
前記第１検出フィルター及び前記第２検出フィルターは、前記巡回シフト値に基づいて設定される、基地局。
（項目９）
前記第１検出フィルターは、前記ランダムアクセスチャネルを構成する有効チャネルの個数を１と仮定して設定される、項目８に記載の基地局。
（項目１０）
前記第１検出フィルターであるＧｍは、
【化５２】
2016538791.tif 000025
のように設定され、
ｍは、前記巡回シフト値を意味し、Ｎは、ザドフチューシーケンスの総長さを表し、
【化５３】
2016538791.tif 000026
は、モジューロ演算を表す、項目９に記載の基地局。
（項目１１）
前記第２検出フィルターは、前記ランダムアクセスチャネルを構成する有効チャネルの個数を考慮して設定される、項目８に記載の基地局。
（項目１２）
前記第２検出フィルターであるＧｍは、
【化５４】
2016538791.tif 000027
のように設定され、
ｍは、前記巡回シフト値を意味し、Ｌは、前記有効チャネルの個数を意味し、Ｎは、ザドフチューシーケンスの総長さを表し、
【化５５】
2016538791.tif 000028
は、モジューロ演算を表す、項目１１に記載の基地局。
（項目１３）
前記巡回シフト値は、有効チャネルの個数を考慮して設定される、項目８に記載の基地局。
（項目１４）
前記巡回シフト候補は、ＺＣＺ（Ｚｅｒｏ  Ｃｏｒｒｅｌａｔｉｏｎ  Ｚｏｎｅ）から導出されたシーケンス相関度が基準値以上である区間を意味する、項目８に記載の基地局。